(57)【要約】      （修正有）【課題】従来土地の測量をするには従事する人員が多く必要であって、かつ測量に長時間を要し、しかもいずれも精度が良くないか叉は算出に時間がかかるものであった。土地の測量において、真北を「子午線に基づく北」によって測定し、測量図をつくるので、真北を正確に、かつ迅速に、人手を少なくして決定することが緊要の課題となっている。【解決手段】市販の測距儀に何れの方向にも水平なるように２つの水準器を直角に配置した直角状をなす日影を投影しうる器具２を付することによって、測量地点における日影が投影面の基準線２２に一致するか叉は平行となる方向を計測し、標準時刻を表示する時計によって測定時刻からその地点の緯度、経度の数値を投入して、測定地点の南中時の日影との差に基づいて真北の方向を算出するデータを記録し、これらの数値をコンピュータに投入することにより、正確かつ迅速に真北を測定することを可能とした。【選択図】図１
2004163380.tif 000002
【特許請求の範囲】
【請求項１】
任意の観測点において生ずる日影によって算出することを特徴とする真北を測定する方法。
【請求項２】
観測点の緯度、経度及び時刻から南中時の日影を算出し、観測した日影との角度の差を補正することによって求めることを特徴とする請求項１の真北を測定する方法。
【発明の詳細な説明】
【０００１】
【発明の属する技術分野】主として建築設計に資するための地形、方向、面積等を測定する測量技術に関する。
【０００２】
【従来の技術】真北を測定する従来の技術としては特開昭６１−５６９８５号公報、特開平３−２７０５０２号公報、実開昭５５−７８９０７号公報、実開昭５５−１０５１１５号公報、実開昭５９−１６６１１７号公報、実開平１−１９１１０号公報等が開示されているが、特開昭６１−５６９８５号公報は船舶の方向測定方法であり、特開平３−２７０５０２号公報はジャイロコンパスを使用することによってアンテナの方向を測定する技術であり、実開昭５５−７８９０７号公報は観測点における測定時刻を南中時に換算する複雑な計算を避けて概略の真北を測定する装置であり、実開昭５５−１０５１１５号公報は平板状の基板に投影板を付して、磁石を併置してなり、基板の水平面及び投影面によって日影を算出する技術であり、実開昭５９−１６６１１７号公報は前記実開昭５５−１０５１１５号公報を改良した技術であり、実開平１−１９１１０号公報は望遠鏡付のアリダードに縦線を有する測定器をその一端に付してなる装置に関する技術である。
【０００３】
【発明が解決しようとする課題】従来技術のうち土地の測量に使用されるものは測定に要する人員が多く必要であって、かつ測定に長時間を要し、しかもいずれも精度が良くないか叉は算出に時間がかかるものであった。
【０００４】
土地の測量において．方位の基準は「北」であるが、「北」は磁北と子午線に基づく北とがあるが、両者は必ずしも一致せず、「磁北」は普通磁石で直読式に簡単に、またいずれの地点でも測定できるが、地磁気の時間的変動もあり、また磁石自体も測定時、測定場所の他の磁場の存在で正確に表示しえないという欠点があるとされ、「子午線に基づく北」は、わが国では東経１３５度の主子午線叉は旧東京天文台における子午線によって判断されるが、測定点における緯度、経度、時刻、測定点の地形等によって、測定した日影の示す値を補正計算する手段を必要とし、また曇天、雨天、夜間等の日影を明瞭に測定できない場合は算出できないという欠点があるが、必要とする補正計算さえ行えば測定地における「真北」を決定できるため、現在では主としてこの方法が採用されている。
【０００５】
またいわゆる南中法は子午線を観測地点の時刻の正午には太陽による日影が真北を指すという理論に基づくが、観測地点の子午線の経度は必ずしも明瞭ではないため、近くの標準となりうる子午線、たとえばわが国の標準時刻の起算点となっている東経１３５度叉は旧東京天文台における子午線に対する時差を算出し、日影が平坦な地形上に投影される角度を測定し、その観測地点における南中時に生ずるであろう日影との角度差によって真北を算出する方法であるが、人手を少なくし、かつ日照状態は時々刻々変化し、日影が安定して得られるのは数分以内の場合が多いため短時間に精密に測定する技術の開発が要望されている。
【０００６】
【課題を解決するための手段】記憶装置内蔵の測距儀に何れの方向にも水平になるるように２つの水準器を直角に配置した直角状をなす日影を投影しうる器具を付することによって、測量地点における日影が投影面の基準線に一致するか叉は平行となる方向を計測し、標準時刻を表示する時計によって測定時刻からその地点の緯度、経度の数値を投入して、測定地点の南中時の日影との差に基づいて真北の方向を算出するデータを記録し、これらの数値をコンピュータに投入することにより正確かつ迅速に表示を可能とした。
【０００７】
【発明の実施の形態】測距儀を三角柱上に地面に対し垂直かつ水平に設置し、磁石によって大凡の北を示す方向を定め、該測距儀水平方向に補助板を付し、日影投影装置を付しておき、この板に垂直状に日影投影用具を取付け、測量をして、投影装置の垂直板に付した標準線の影を水平の板の基準直線と一致叉は平行する位置を見出し、計測時刻（標準時刻による）を観測する。
【０００８】
ふつうは平面状をなす土地について四辺形状の土地の四隅について、水平角度、水平距離、高さを読み取って記録しておき、また測量について測定年月日、測定時刻、緯度、経度の数値から土地の平面図を作製し、この土地の平面図において真北を前記の日影によるデータによって算出し、該平面図上に図形表示しうるが、携帯電話によってコンピュータに入力して測定地点から直接表示することも可能である。
【０００９】
【実施例】測定に先立って図１に示すように望遠鏡１１及び表示窓１２を有する光波測距儀（ＮＩＫＯＮ  ＮＳＴ２０ＳＣ）１に基準線２２を付した水平長さ約１２０ｍｍの板、これに直角に長さ約３００ｍｍの投影窓を有する透明な縦線板２１を付し、２個の水準器をそれぞれ直角状に設置した日影投影器２を該測距儀に取り付ける。
【００１０】
三角柱の上に地面に垂直にかつ水平に光波測距儀１を取付け、磁石によって凡その北の方向を定めて、これを基準として、日影の投影を求め、観測時刻を記録し、ついで、測量すべき平面状の土地について、四隅の水平角、水平距離、高さを順次測定し、観測地点の緯度、経度を地図から求め、これらの数値をコンピュータに入力して土地の図形及び真北の方向を図示しうる。
【００１１】
【発明の効果】南中時は旧東京天文台（東経１３９度４４分４０．９秒）の時刻表に基づき経度１分について時間４秒として南中時刻は年、月、日によって変化するため、１年分の補正データをコンピュータに内蔵させておくことによって測定の都度補正する必要がないという特徴を有する。
【００１２】
道路地図（昭文社１０万分の１）によって、緯度、経度を２０秒読みまで可能であり、かつ南中時刻を秒まで入力するため正確であり、かつ必要とするデータ及び計算プログラムを内蔵させることによって計算方法が単純で、アナログ方式からディジタル方式とすることにより、３０秒以内にデータを表示しうるが、かつデータを携帯電話等によって送信することによって交通不便叉は遠隔の場所についても短時間でなしうるが、さらに遠距離叉は見通しのできない場所においてはＧＰＳによって緯度、経度を確定しうる場合にも土地の面積及び真北を測定することも可能であるという特徴を有する。
【００１３】
投影線は時間が１分で角度が約２０分以上移動するが、敏速にかつ正確に測量しうるために誤差が少ないという特徴をも有する。
【図面の簡単な説明】
【図１】本発明に係る方法において使用する光波測距儀の一例の概略を示す斜視図である。
【図２】光波測距儀に装着する日影投影器の一例の概略を示す斜視図である。
【符号の説明】
１          光波測距儀
１１        望遠鏡
１２        表示窓
２          日影投影器
２１        縦線板
２２        基準線
【図１】
2004163380.tif 000003
【図２】
2004163380.tif 000004